(57)【要約】【課題】  本発明は、幼児，子供の手指もドアとの間の隙間に挟まれる事故を確実に防止することができる新規の自動ドアにおける手指等の挟み事故防止装置を提供するものである。【解決手段】  本発明は、方立てまたは戸袋と自動ドアとの間の隙間で手指の挟み事故等の発生を防止するために、該方立て等のドア側に触手した手指をドアから離す凹み斜面を設け、該凹み斜面の凹み奥に触手を感知してドアの走行を停止または反転させる感知センサーを設けたことを特徴とする自動ドアにおける手指等の挟み事故防止装置にある。【選択図】図２
2010242384.tif 000002
【特許請求の範囲】
【請求項１】
方立てまたは戸袋と自動ドアとの間の隙間で手指の挟み事故等の発生を防止するために、該方立て等のドア側に触手した手指をドアから離す凹み斜面を設け、該凹み斜面の凹み奥に触手を感知してドアの走行を停止または反転させる感知センサーを設けたことを特徴とする自動ドアにおける手指等の挟み事故防止装置。
【請求項２】
凹み斜面は触手した手指を凹み底に滑り到達させるに充分な長さを有せしめる請求項１に記載の自動ドアにおける手指等の挟み事故防止装置。
【請求項３】
凹み斜面は自動ドアの走行路を挟んだ内外両面の方立てまたは戸袋に設ける請求項１または２に記載の自動ドアにおける手指等の挟み事故防止装置。
【発明の詳細な説明】
【技術分野】
【０００１】
この発明は、自動ドアにおける手指等の挟み事故防止装置に関するものである。
【背景技術】
【０００２】
従来は図７に示すように、方立て１の自動ドア２側に膨出曲面形をしたヘッド３を設け、その内側に触手を感知して作動する感知センサー４を設けて、ドアが開く際にヘッド３に手指等が当たるとその圧にて感知センサー４が作動してドアの開き走行を止めるようにしている。
【先行技術文献】
【特許文献】
【０００３】
【特許文献１】なし
【発明の概要】
【発明が解決しようとする課題】
【０００４】
しかしながら、成人はともかく、幼児，子供の手指はヘッド３の膨出曲面をすべってドア２との間の隙間にしばしば挟まれて傷を負う等の事故が発生しているという課題がある。
【０００５】
しかも手指がヘッド３のドア側にすべったのでは感知センサー４が作動せずしてドアが止まらないために挟み事故が深刻になるという課題があった。
【課題を解決するための手段】
【０００６】
本発明は方立てまたは戸袋のドア側に手指が触れるとその手指を自動ドアから離す凹み斜面を設けて、大人は当然のこと、幼児，子供の手指も従来のヘッド３に相当する凹み斜面の先端に振れると該斜面をすべって手指はドアから離され、凹み奥に至って感知センサーを作動してドアの走行を停止または反転することとなるので、幼児，子供の手指を挟む事故も確実に防止するようにして、かかる課題を解決したのである。
【発明の効果】
【０００７】
本発明は、方立て等のドア側に触手した手指をドアから離す凹み斜面を設けたので、幼児，子供の手指もドアとの間の隙間に挟まれる事故が確実に防止されるという効果を生ずる。
【０００８】
万一、手指が凹み斜面とドアとの間の隙間に挟入しても凹み斜面が斜面側に傾倒するために、手指の挟み圧は軽減され、且つ感知センサーが押されることで、ドアは手指の挟入の初期の段階で停止または反転して挟み事故の進行を防止するという効果を生ずる。
【図面の簡単な説明】
【０００９】
【図１】第１実施例を示す部分拡大横断平面図
【図２】同、自動ドアに触れた手指等が凹み斜面をすべってドアから離される状態を示す平面図
【図３】同、底面に至った手指等の押圧により感知センサーが通電作動した状態を示す平面図
【図４】同、手指等がドアとの隙間に入ったときの凹み斜面の傾倒圧により感知センサーが作動した状態を示す平面図
【図５】凹み斜面を対称に設けた例を示す外装カバーの横断平面図
【図６】戸袋のドアを挟んだ内外の出入口の双方に挟み事故防止装置を備えた実施例を示す部分拡大横断平面図
【図７】従来例を示す部分拡大横断平面図
【発明を実施するための形態】
【００１０】
本発明は、方立て，戸袋と自動ドアとの間の隙間で手指の挟み事故等の発生を防止するために、該方立て等のドア側に触手した手指をドアから離す凹み斜面を設け、該凹み斜面の凹み奥に触手を感知してドアの走行を止め、または反転走行させる感知センサーを設けて、自動ドアの開き時に手指が凹み斜面の先端に触れると、手指は凹み斜面３ａを滑ってドア２から離れ、万一、手指の先端が隙間２ａに入ったときも、凹み斜面が斜面側に傾倒し、その傾倒圧によって感知センサーが作動してドアを停止または反転するようにして挟み事故の進行を防止するようにしたのである。
【実施例１】
【００１１】
図１乃至図４は本発明の第１実施例で、方立て１の自動ドア２側の縦方向全長に凹部１ａを設け、該凹部１ａの縦長全長に断面箱形をした外装カバー５を嵌付け、該カバー５の前面のドア２側に手指等が触れたときにこれらをドア２から離す先薄形をした突出部３ａを設け、その内面にて凹み斜面３ｂを形成する。凹み斜面３ｂにつながる底面３ｃの奥、つまり外装カバー５内に感知センサー４を設ける。
【００１２】
しかして、感知センサー４は図３，図４からわかるように、導電部６ａ，６ｂの押し接触により作動し、離れて解除するようにしている。
【００１３】
自動ドア２の開き時に誤ってドア２に近い凹み斜面３ｂの先端に手指が触れると、手指は凹み斜面３ｂをすべってドア２から離れて底面３ｃに至り、底面奥の感知センサー４を作動してドア２を停止または反転することとなるので、ドア２との間の隙間２ａに手指等が挟まれる事故は確実に防止されることとなる。
【００１４】
万一、手指の先端が隙間２ａに入ったとしても図４に示すように凹み斜面３ｂが斜面側に傾倒して、その傾倒圧によって感知センサー４を作動するので、ドア２は直ちに停止し、または反転して挟み事故に発展することがないものとなる。
【００１５】
なお、外装カバー５は図５に示すように凹み斜面３ｂに対称してドア２から離れた側にも先細の突出部とその内面に斜面３ｄを設けて均衡させることもある。
【実施例２】
【００１６】
図６は本発明の第２実施例で、戸袋１ｂのドア２を挟んだ内外の出入口１ｃ，１ｄの双方のドア２側に外装カバー５を嵌付けて凹み斜面３ｂと感知センサー４を設けたものである。
ドア２を開いて入るときは勿論、出るときも第１実施例に記載した作用を奏すこととなる。
【００１７】
いずれにしても、凹み斜面３ｂは図に示すように触手した手指を凹み底にすべり落ち誘導する長さを持って形成することが望まれる。
【産業上の利用可能性】
【００１８】
本発明は外装カバーの前面に先薄の突出部とその内面に凹み斜面を設けてドア開閉の際に誤って触手した手指をセンサー側に滑らせてドアを停止または反転させるという構成によって、新規は勿論のこと、既設の自動ドアにも適用することができることで広く利用されるものである。
【符号の説明】
【００１９】
１は方立て
１ａは凹部
１ｂは戸袋
１ｃ，１ｄは内外の出入口
２は自動ドア
２ａは自動ドアと方立てまたは戸袋間の隙間
３ａは突出部
３ｂは凹み斜面
３ｃは底面
３ｄは対称側の凹み斜面
４は感知センサー
５は外装カバー
６ａ，６ｂは導電部
【図１】
2010242384.tif 000003
【図２】
2010242384.tif 000004
【図３】
2010242384.tif 000005
【図４】
2010242384.tif 000006
【図５】
2010242384.tif 000007
【図６】
2010242384.tif 000008
【図７】
2010242384.tif 000009